(57)【要約】【課題】マイクロメモリカードアダプタの電気伝送構造の提供。【解決手段】本考案は一種のマイクロメモリカードアダプタの電気伝送構造に関わるもので、主に上下蓋の間に電気回路板と若干枚の電気伝導片を設ける。そのうち、上蓋の前側にほぼＵ字型開口部を設け、後ろ側にほぼ逆Ｕ字型開口部を設ける。下蓋に第１収容室と第２収容室を設け、上蓋の底部と噛み合わせる。第２収容室の下部に複数本の固定溝を設ける。電気回路板を第１収容室に備える固定溝の上方に設ける。電気伝導片は前側の電気固定区域と後ろ側の電気接触区域より構成し、第１、第２収容室の間にまたがって設ける。電気接触区域と電気回路板を連結することにより、電気回路板の優れたマイクロ電気回路板の特性でもって、ＭＩＣＲＯ  ＳＤメモリカードをＭＩＮＩ  ＳＤメモリカードに変換するときの複雑な電気伝送経路を解決し、電気伝送部品のマイクロ化の特長を実現し、生産工程を簡素化させ、生産コストを軽減する。【選択図】図１
0003122232.tif 000002
【実用新案登録請求の範囲】
【請求項１】
上下蓋の間に電気回路板と若干数の電気導通片を設け、上下蓋を組み合わせた後はＭＩＮＩ  ＳＤメモリカードの外形規格と同様であり、上蓋の前側にほぼＵ字型の開口部を設け、後ろ側にほぼ逆Ｕ字型の開口部を設けて、下蓋を上蓋の底面と噛み合わせ、天面の前側と後ろ側に第１収容室、第２収容室をそれぞれに設け、第１収容室は上蓋前側のＵ字型開口部の対称位置に設け、第１収容室の下部に複数本の固定溝を設けて、第２収容室は第１収容室の後ろ側に設けて、ＭＩＣＲＯ  ＳＤメモリカードの挿入に備え、
電気回路板を第１収容室内部に備える固定溝の上部に設け、さらに若干数の導通点、電子回路と挿入片を設け、
電気導通片は固定溝の数に対応して、第１、第２収容室の間にまたがって設け、その前側の電気固定区域は固定溝に設けて、電子回路板の導通点に接続し、電子回路と電子回路板の挿入片を介して電気接続し、その後ろ側の電気接続区域は第２収容室に設け、ＭＩＣＲＯ  ＳＤメモリカードを第２収容室に挿入した後、電気導通片と電気導通し、電気回路板の挿入片により、外部のＭＩＮＩ  ＳＤコネクタに接続することを特徴とするマイクロメモリカードアダプタの電気伝送構造。
【請求項２】
上蓋板後部および下蓋板に備える第２収容室にほぼ逆Ｕ字型の開口部を設けて、互いに対応し、ＭＩＣＲＯ  ＳＤメモリカードを挿抜することを特徴とする請求項１記載のマイクロメモリカードアダプタの電気伝送構造。
【請求項３】
上蓋が電気導通片に対応する電気接続区域に複数の貫通孔を設けることを特徴とする請求項１記載のマイクロメモリカードアダプタの電気伝送構造。
【請求項４】
第２収容室と隣り合う側にスロットを設けて、ＭＩＣＲＯ  ＳＤメモリカードを固定する噛み合わせばね板を挿入することを特徴とする請求項１記載のマイクロメモリカードアダプタの電気伝送構造。
【請求項５】
噛み合わせばね板はほぼＺ字型形状であり、前側の相継ぎ区域と後ろ側の弾性区域より構成することを特徴とする請求項４記載のマイクロメモリカードアダプタの電気伝送構造。
【考案の詳細な説明】
【技術分野】
【０００１】
本考案は一種のマイクロメモリカードアダプタの電気伝送構造に関わるもので、主に一種のＭＩＣＲＯ  ＳＤカード規格をＭＩＮＩ  ＳＤメモリカードに変換する電気伝送経路を改良し、電気部品のマイクロ化を実現する。
【背景技術】
【０００２】
市販のＭＩＣＲＯ  ＳＤメモリカードをＭＩＮＩ  ＳＤに変換するアダプタの公知技術は上蓋、下蓋および若干枚の電気導通片より構成する。そのうち、下蓋に若干本の掛け合い溝を設け、使用するとき、電気導通片を順番に下蓋の固定溝に挿入し、電気導通片を掛け合い溝に固定した後、上蓋と下蓋を噛み合わせておき、ＭＩＣＲＯ  ＳＤとＭＩＮＩ  ＳＤメモリカードのアダプタに仕上げる。
【０００３】
しかしながら、前記の部品より構成するアダプタは実施するとき、以下の問題点がある、
（１）生産工程が複雑である。組み立てのとき、各電気導通片を下蓋に備える固定溝へ順番に挿入しなければならない。このため、アダプタの組立工程を複雑化している、
（２）接触不良の恐れがある。電気導通片をそのまま下蓋の固定溝に挿入して、変換対象とメモリカードとの橋渡し役目を果たすため、掛け合うときに、電気導通片の弛みにより、電気導通不良問題が発生する、
（３）電気伝送が不安定である。電気導通片をそのまま下蓋の固定溝に挿入して、変換対象とメモリカードとの橋渡し役目を果たすため、変換するメモリカードまたは変換されるメモリカードの規格、型番によって、必要電流が異なる。このため、電気伝送の不安定が発生し易い、
（４）生産コストが高い。マイクロメモリカード内部スペースが限られているため、電気導通片のマイクロ化の必要がある。このため、生産精度の要求に困難がある。
【０００４】
このため、前記のアダプタに発生する問題解決が本考案の課題を解決するための手段である。
【考案の開示】
【考案が解決しようとする課題】
【０００５】
本考案者は公知技術における種々の問題点に対して、長年にわたるこの製品に関する研究、設計、製造などの経験に基づいて、鋭意に研究した結果、本考案のマイクロメモリカードアダプタの電気伝送構造を考案し、複雑な電気伝送経路を解決し、電気伝送部品のマイクロ化と生産コスト軽減を実現できる。
【０００６】
本考案のマイクロメモリカードアダプタは主に、上下蓋の間に電気回路板と若干枚の電気導通片を設ける。上下蓋を組み合わせた後は、ＭＩＮＩ  ＳＤメモリカードの外形規格と同様。さらに、上蓋の前側にほぼＵ字型開口部を設け、後ろ側ほぼ逆Ｕ字型開口部を設けて、蓋表面に若干数の貫通孔を設ける。
【０００７】
下蓋を上蓋の底部に掛け合って、前後側に第１収容室と第２収容室をそれぞれに設ける。第１収容室を上蓋前側の対称位置に設け、第１収容室下部に複数本の固定溝を開けて、第２収容室を第１収容室の後ろ側に設ける。ＭＩＣＲＯ  ＳＤメモリカードの挿入と取り出しの便利を図るため、第２収容室の後ろ側に逆Ｕ字型開口部を設け、上蓋後ろ側の逆Ｕ字型開口部に合わせて噛み合わせる。
【０００８】
電気回路板は第１収容室に備える固定溝の上部に設け、若干数の導通点、電子回路および若干数の電気導通挿入片を設ける。電気導通片は第１、第２収容室の間にまたがって設け、固定溝の数に対応する。前側に電気固定区域を設け、固定溝に挿入しておき、電気回路板の挿入片を介して電気接続する。後ろ側に電気接触区域を設け、第２収容室内部に設ける。ＭＩＣＲＯ  ＳＤメモリカードを第２収容室に挿入し、電気導通片に備える電気接触区域を導通し、電気回路板の挿入片により、外部のＭＩＮＩ  ＳＤアダプタに接続する。
【０００９】
前記した各電気導通片の電気固定区域を電気回路板に接続した上、下蓋の固定溝に挿入し、電気回路板の挿入片を介して、外部ＭＩＮＩ  ＳＤアダプタに接続することにより、アダプタの電気伝送の安定性問題を解決し、アダプタの組立工程数の軽減により、組立工程の簡素化を実現する。
【課題を解決するための手段】
【００１０】
請求項１の考案は、上下蓋の間に電気回路板と若干数の電気導通片を設け、上下蓋を組み合わせた後はＭＩＮＩ  ＳＤメモリカードの外形規格と同様であり、上蓋の前側にほぼＵ字型の開口部を設け、後ろ側にほぼ逆Ｕ字型の開口部を設けて、下蓋を上蓋の底面と噛み合わせ、天面の前側と後ろ側に第１収容室、第２収容室をそれぞれに設け、第１収容室は上蓋前側のＵ字型開口部の対称位置に設け、第１収容室の下部に複数本の固定溝を設けて、第２収容室は第１収容室の後ろ側に設けて、ＭＩＣＲＯ  ＳＤメモリカードの挿入に備え、
電気回路板を第１収容室内部に備える固定溝の上部に設け、さらに若干数の導通点、電子回路と挿入片を設け、
電気導通片は固定溝の数に対応して、第１、第２収容室の間にまたがって設け、その前側の電気固定区域は固定溝に設けて、電子回路板の導通点に接続し、電子回路と電子回路板の挿入片を介して電気接続する、その後ろ側の電気接続区域は第２収容室に設け、ＭＩＣＲＯ  ＳＤメモリカードを第２収容室に挿入した後、電気導通片と電気導通し、電気回路板の挿入片により、外部のＭＩＮＩ  ＳＤコネクタに接続することを特徴とする一種のマイクロメモリカードアダプタの電気伝送構造としている。
請求項２の考案は、上蓋板後部および下蓋板に備える第２収容室にほぼ逆Ｕ字型の開口部を設けて、互いに対応し、ＭＩＣＲＯ  ＳＤメモリカードを挿抜することを特徴とする請求項１記載のマイクロメモリカードアダプタの電気伝送構造としている。
請求項３の考案は、上蓋が電気導通片に対応する電気接続区域に複数の貫通孔を設けることを特徴とする請求項１記載のマイクロメモリカードアダプタの電気伝送構造としている。
請求項４の考案は、第２収容室と隣り合う側にスロットを設けて、ＭＩＣＲＯ  ＳＤメモリカードを固定する噛み合わせばね板を挿入することを特徴とする請求項１記載のマイクロメモリカードアダプタの電気伝送構造としている。
請求項５の考案は、噛み合わせばね板はほぼＺ字型形状であり、前側の相継ぎ区域と後ろ側の弾性区域より構成することを特徴とする請求項４記載のマイクロメモリカードアダプタの電気伝送構造としている。
【考案の効果】
【００１１】
本考案のマイクロメモリカードアダプタの電気伝送構造を考案し、複雑な電気伝送経路を解決し、電気伝送部品のマイクロ化と生産コスト軽減を実現できる。
【考案を実施するための最良の形態】
【００１２】
図１に示すものは、本考案の立面分解図である。図示したとおり、本考案は主に上蓋１０、下蓋２０、電子回路を備えた電気回路板３０、および若干数の電気導通片４０より構成し、ＭＩＮＩ  ＳＤメモリカード外形規格に合わせて仕上げを行い、ＭＩＣＲＯ  ＳＤメモリカード規格のアダプタに接続する。そのうち、上蓋１０の前側にほぼＵ字型開口部１１を設け、後ろ側にほぼ逆Ｕ字型開口部１２を設けて、蓋表面に若干数の貫通孔１３を設ける。
【００１３】
下蓋２０を上蓋１０の底部に掛け合って、前後側に第１収容室２１と第２収容室２２をそれぞれに設ける。第１収容室２１を上蓋１０前側のＵ字型開口部１１の対称位置に設け、第１収容室２１の下部に複数本の固定溝２３を開けて、第２収容室２２を第１収容室２１の後ろ側に設ける。さらに、ＭＩＣＲＯ  ＳＤメモリカードの挿入と取り出しの便利を図るため、第２収容室２２の後ろ側に逆Ｕ字型開口部２４を設け、上蓋１０後ろ側の逆Ｕ字型開口部１２に合わせて掛け合う。
【００１４】
電気回路板３０は第１収容室２１に備える固定溝２３の上部に設け、電気回路板３０底面に若干数の導通点３１、および導通点３１に対応する電子回路３２を設けて、天面に電子回路３２と電気導通の挿入片３３を設ける。さらに、図２に示すとおり、挿入片３３の数は導通点３１に対応して導通する。
【００１５】
電気導通片４０は第１収容室２１、第２収容室２２の間にまたがって設け、固定溝２３の数に対応する。その前側に電気固定区域４１を設け、電気回路板３０の導通点３１に接続した上、固定溝２３に挿入する。導通点３１に対応する電子回路３２により、電気回路板３０の挿入片３３と電気接続する。その後ろ側は第２収容室２２の内部に電気接触区域４２を設け、ＭＩＣＲＯ  ＳＤメモリカードを第２収容室２２に挿入して、電気導通片４０の電気接触区域４２に導通する。さらに、電気回路板３０の挿入片３３を介して、外部のＭＩＮＩ  ＳＤアダプタに連結する(詳細は後で説明する。)。
【００１６】
下蓋２０の第２収容室２２と隣り合う側にスロット２５を設け、スロット２５にメモリカードを固定する噛み合わせばね板５０を設け、噛み合わせばね板５０はほぼＺ字型形状で設けて、相継ぎ区域５１および後部区間の弾性区域５２より構成する。
【００１７】
アダプタを組み立てのとき、図３、図４を参照する。図３に示すものは、電気導通片４０と電気回路板３０の正面接続表示図であり、図４は本考案の電気導通片４０と電気回路板３０の背面接続図である。組み立てのとき、各電気導通片４０の電気固定区域４１と電気回路板３０底面に備える導通点３１を接続しておく、接続方式はハンダ付けまたはその他方式による。各電気導通片４０を電気回路板３０に固定し、電気を電気導通片４０と導通点３１に流し、導通点３１と電子回路３２の導通により、電気は電気回路板３０天面に備える挿入片３３に伝送し外部と電気接続する。接続完了の電気回路板３０と電気導通片４０を下蓋２０に備える第１収容室２１に挿入し、各電気導通片４０の電気固定区域４１を数の対応された固定溝２３に固定する(図５)。電気導通片４０の電気接続区域４２を第２収容室２２に取り付け、ほぼＺ字型の噛み合わせばね板５０を第２収容室２２と隣り合う側のスロット２５に取り付けて、相継ぎ区域５１はスロット２５内部に設けて、後部段の弾性区域５２を第２収容室２２に延ばしておき、ＭＩＣＲＯ  ＳＤメモリカードの固定に備える。
【００１８】
図１に示すとおり、上蓋１０を下蓋２０に合わせて噛み合わせる。噛み合わせた後ＭＩＮＩ  ＳＤメモリカード外形規格と同様。電気回路板３０上の挿入片３３は上蓋１０のＵ字型開口部１１に露出して、外部と電気接続する。各電気導通片４０の電気接続区域４２は上蓋１０の貫通孔１３により、移動空間をもたせる。ＭＩＣＲＯ  ＳＤメモリカードが挿入されたとき、電気導通片４０の電気接続区域４２は弾性移動し、上蓋１０と下蓋２０後ろ側に対応する逆Ｕ字型開口部１２、２４と合わせて、ＭＩＣＲＯ  ＳＤメモリカードの挿入と取り出しの便利を提供する。
【００１９】
前記の部品構成により、電気回路板３０の優れたマイクロ電気回路の電導性でもって、ＭＩＣＲＯ  ＳＤと外形規格が同様なメモリカードは、電気導通片４０の電気接続区域４２より電気固定区域４１に接続された電気回路板３０に接続し、電気回路板３０底面に備える導通点３１で導通し、導通点３１に対応した電子回路３２はさらに、電子回路３２を介し、天面に備える挿入片３３と電気導通して、電気を各挿入片３３に分布し、電気回路板３０の挿入片３３から外部のＭＩＮＩ  ＳＤアダプタと電気接続する。
【００２０】
前記のとおり、各電気導通片４０は電気回路板３０を直接に接続した上、各電気導通片４０を下蓋２０の固定溝２３に取り付ける。電気回路板３０の電子回路と挿入片３３の導通関係により、公知技術のように一つずつに取り付けるほか、固定溝２３の配列に従って、湾曲変化の必要がない。電気導通片４０の組立工程を改善し生産の困難度を軽減できる。
【００２１】
このほか、電気回路板３０上の挿入片３３を介して、外部と電気接続するため、電気導通片４０は挿抜のゆるみによるアダプタ接触不良の問題を解消できる。
【図面の簡単な説明】
【００２２】
【図１】本考案の立面分解表示図である。
【図２】本考案の電気回路板の底面表示図である。
【図３】本考案の電気導通片と電気回路板の正面接続表示図である。
【図４】本考案の電気導通片と電気回路板の背面接続表示図である。
【図５】本考案の電気回路板と下蓋との接続表示図である。
【符号の説明】
【００２３】
１０  上蓋
１１  Ｕ字型開口部
１２  逆Ｕ字型開口部
１３  貫通孔
２０  下蓋
２１  第１収容室
２２  第２収容室
２３  固定溝
２４  逆Ｕ字型開口部
２５  スロット
３０  電気回路板
３１  導通点
３２  電気回路
３３  挿入片
４０  電気導通片
４１  電気固定区域
４２  電気接触区域
５０  噛み合わせばね板
５１  相継ぎ区域
５２  弾性区域
【図１】
0003122232.tif 000003
【図２】
0003122232.tif 000004
【図３】
0003122232.tif 000005
【図４】
0003122232.tif 000006
【図５】
0003122232.tif 000007